(57)【特許請求の範囲】
【請求項１】
公衆電話網に接続された端末間で送受信される電子データを中継する中継装置であって、
電子データと送信先情報および受信ユーザ名を受信する受信手段と、
前記受信ユーザ名に対応する固有ＩＤを検索する第１検索手段と、
前記送信先情報に関連付けられた固有ＩＤを検索する第２検索手段と、
前記受信ユーザ名に対応する固有ＩＤを前記送信先情報に関連付けられた固有ＩＤと比較し、一致する固有ＩＤが存在するか否かを判定する比較手段と、
前記比較手段が一致する固有ＩＤが存在すると判定した場合に、前記送信先情報の示す端末に対して前記受信ユーザ名宛の前記電子データを受信したことを通知する通知手段と、
前記端末から固有ＩＤを受信し、その固有ＩＤが前記受信ユーザ名に対応する固有ＩＤと同一であるか認証する認証手段と、
前記端末から電子データの受信許可を得る確認手段と、
前記認証が成功し、前記受信許可が得られた場合に、前記電子データを前記端末へ送信する送信手段と、
を有することを特徴とする中継装置。
【請求項２】
前記受信手段は、送信ユーザの固有ＩＤをさらに受信し、
前記通知手段は、前記送信ユーザの固有ＩＤに対応する送信ユーザ名を前記端末に通知することを特徴とする請求項１記載の中継装置。
【請求項３】
前記固有ＩＤは、前記端末に登録されている端末ＩＤ、または、前記端末から送信可能なユニークなＩＤを用いて生成されることを特徴とする請求項１又は２に記載の中継装置。
【請求項４】
公衆電話網に接続された端末間で送受信される電子データを中継する中継方法であって、
電子データと送信先情報および受信ユーザ名を受信するステップと、
前記受信ユーザ名に対応する固有ＩＤを検索するステップと、
前記送信先情報に関連付けられた固有ＩＤを検索するステップと、
前記受信ユーザ名に対応する固有ＩＤを前記送信先情報に関連付けられた固有ＩＤと比較し、一致する固有ＩＤが存在するか否かを判定するステップと、
前記判定するステップにおいて、一致する固有ＩＤが存在すると判定した場合に、前記送信先情報の示す端末に対して前記受信ユーザ名宛の前記電子データを受信したことを通知するステップと、
前記端末から固有ＩＤを受信し、その固有ＩＤが前記受信ユーザ名に対応する固有ＩＤと同一であるか認証するステップと、
前記端末から電子データの受信許可を得るステップと、
前記認証が成功し、前記受信許可が得られた場合に、前記電子データを前記端末へ送信するステップと、
を有することを特徴とする中継方法。
【請求項５】
前記受信するステップでは、送信ユーザの固有ＩＤをさらに受信し、
前記通知するステップでは、前記送信ユーザの固有ＩＤに対応する送信ユーザ名を前記端末に通知することを特徴とする請求項４記載の中継方法。
【請求項６】
前記固有ＩＤは、前記端末に登録されている端末ＩＤ、または、前記端末から送信可能なユニークなＩＤを用いて生成されることを特徴とする請求項４又は５に記載の中継方法。
【請求項７】
公衆電話網に接続された端末間で送受信される電子データを中継する中継プログラムであって、
電子データと送信先情報および受信ユーザ名を受信する処理と、
前記受信ユーザ名に対応する固有ＩＤを検索する処理と、
前記送信先情報に関連付けられた固有ＩＤを検索する処理と、
前記受信ユーザ名に対応する固有ＩＤを前記送信先情報に関連付けられた固有ＩＤと比較し、一致する固有ＩＤが存在するか否かを判定する処理と、
前記判定するステップにおいて、一致する固有ＩＤが存在すると判定した場合に、前記送信先情報の示す端末に対して前記受信ユーザ名宛の前記電子データを受信したことを通知する処理と、
前記端末から固有ＩＤを受信し、その固有ＩＤが前記受信ユーザ名に対応する固有ＩＤと同一であるか認証する処理と、
前記端末から電子データの受信許可を得る処理と、
前記認証が成功し、前記受信許可が得られた場合に、前記電子データを前記端末へ送信する処理と、
をコンピュータに実行させることを特徴とする中継プログラム。
【請求項８】
前記受信する処理では、送信ユーザの固有ＩＤをさらに受信し、
前記通知する処理では、前記送信ユーザの固有ＩＤに対応する送信ユーザ名を前記端末に通知することを特徴とする請求項７記載の中継プログラム。
【請求項９】
前記固有ＩＤは、前記端末に登録されている端末ＩＤ、または、前記端末から送信可能なユニークなＩＤを用いて生成されることを特徴とする請求項７又は８に記載の中継プログラム。
【請求項１０】
請求項７乃至９に記載の中継プログラムを記録したコンピュータ読み取り可能な記録媒体。
【発明の詳細な説明】
【技術分野】
【０００１】
本発明は、電子データの誤送信を防止する技術に関する。
【背景技術】
【０００２】
公衆電話網においてＦＡＸやＳＭＳ（Short Message Service）により電子データを送信する際の誤送信を防止する様々な方法が考えられている。
【０００３】
例えば、特許文献１では、送信先として電話機に登録されている電話帳を参照することによって、入力された送信先の電話番号の確認を行っている。
【０００４】
特許文献２では、送信データの宛先に送信データの存在を通知し、宛先側の確認後に送信データを送信することで誤送信を防止している。
【０００５】
特許文献３では、ＦＡＸ送信の宛先となる顧客に関する情報を記憶させたデータベースを参照して、顧客のＦＡＸ番号を２次元コード化したＦＡＸ送信票を印刷し、そのＦＡＸ送信票を含む原稿をＦＡＸ集中管理システムに送信する。そして、ＦＡＸ集中管理システムが２次元コード化されたＦＡＸ番号を解読して顧客に原稿を送付することで誤送信を防止している。
【０００６】
特許文献４では、送信履歴を用いて送信先候補を推薦することで誤送信を防止している。
【０００７】
一方、着信を拒否する送信元を登録することで着信の許可や拒否することを可能とする技術が知られている（非特許文献１参照）。
【特許文献１】特開２００７−２５１８５３号公報
【特許文献２】特開２００６−２５３９５９号公報
【特許文献３】特開２００７−１７４３４１号公報
【特許文献４】特開２００７−１４８７８６号公報
【非特許文献１】”迷惑電話おことわりサービス”、［online］、西日本電信電話株式会社、［平成２０年５月１５日検索］、インターネット〈ＵＲＬ：http://www.ntt-west.co.jp/flets/hikaridenwa/service/okotowari/index.html〉
【発明の開示】
【発明が解決しようとする課題】
【０００８】
しかしながら、特許文献１の方法では、電話機が備える電話帳への登録はユーザが行うため、電話番号の登録を間違える可能性があり、誤送信を完全に防止することができないという課題がある。また、電子データの送信先に受信可能なユーザが複数いる場合、電子データを送信したいユーザのみが閲覧することを保証できないという課題もある。
【０００９】
特許文献２の方法では、送信先を間違えた場合、その送信先に送信データの存在が通知されるので、送信者が意図していないユーザにも送信されたことが認知されるという課題がある。さらに、パスワードによる確認を行わないときには、その間違えた送信先のユーザが閲覧できてしまうという課題がある。
【００１０】
特許文献３の方法では、データベースを参照してＦＡＸ番号を特定するので誤送信の心配はないが、２次元コードを含むＦＡＸ送信票を作成し、印刷するシステムが必要である。また、ＦＡＸの送信先では、受け取り人以外の人に閲覧される可能性があるという課題がある。
【００１１】
特許文献４の方法では、送信履歴にないユーザに対して適用することができないという課題がある。また、はじめて送信先アドレスを入力する際の誤送信を防ぐことができないという課題がある。
【００１２】
さらに、上記特許文献１−４では、受信側において、受信の許可、拒否を選択することができないという課題がある。
【００１３】
一方、着信を拒否する技術として非特許文献１が知られているが、非特許文献１の方法では、拒否する発信元を登録することで着信を拒否しているので、受信するデータそれぞれに着信の許可、拒否を選択することができない。
【００１４】
本発明は、上記に鑑みてなされたものであり、その課題とするところは、電子データの誤送信を防止しつつ、その電子データの閲覧を送信先のユーザに限定するとともに、受信先のユーザが電子データの受信の許可、拒否を選択できる電子データ中継システムを提供することにある。
【課題を解決するための手段】
【００１５】
第１の本発明に係る中継装置は、公衆電話網に接続された端末間で送受信される電子データを中継する中継装置であって、電子データと送信先情報および受信ユーザ名を受信する受信手段と、受信ユーザ名に対応する固有ＩＤを検索する第１検索手段と、送信先情報に関連付けられた固有ＩＤを検索する第２検索手段と、受信ユーザ名に対応する固有ＩＤを送信先情報に関連付けられた固有ＩＤと比較し、一致する固有ＩＤが存在するか否かを判定する比較手段と、比較手段が一致する固有ＩＤが存在すると判定した場合に、送信先情報の示す端末に対して受信ユーザ名宛の電子データを受信したことを通知する通知手段と、端末から固有ＩＤを受信し、その固有ＩＤが受信ユーザ名に対応する固有ＩＤと同一であるか認証する認証手段と、端末から電子データの受信許可を得る確認手段と、認証が成功し、受信許可が得られた場合に、電子データを端末へ送信する送信手段と、を有することを特徴とする。
【００１６】
本発明にあっては、受信ユーザ名に対応する固有ＩＤが送信先情報に関連付けられた固有ＩＤに含まれているか否かを調べ、固有ＩＤが含まれている場合のみ電子データを送信するので、電子データの誤送信を防止することができる。また、送信先の端末から送信ユーザの固有ＩＤを受信することで、送信ユーザのみが電子データを閲覧することができる。さらに、送信先の端末から電子データの受信許可を得ることで、送信先のユーザは、電子データの受信の許可、拒否を選択することができる。
【００１７】
上記中継装置において、受信手段は、送信ユーザの固有ＩＤをさらに受信し、通知手段は、送信ユーザの固有ＩＤに対応する送信ユーザ名を端末に通知することを特徴とする。
【００１８】
本発明にあっては、送信ユーザの固有ＩＤを受信し、その固有ＩＤに対応する送信ユーザ名を通知することにより、送信元のユーザが正しいことを保証することが可能となる。
【００１９】
上記中継装置において、固有ＩＤは、端末に登録されている端末ＩＤ、または、端末から送信可能なユニークなＩＤを用いて生成されることを特徴とする。
【００２０】
本発明にあっては、端末に登録されている端末ＩＤを用いて固有ＩＤを生成することにより、ユーザが自分の固有ＩＤを入力する手間を省くことが可能となる。
【００２１】
第２の本発明に係る中継方法は、公衆電話網に接続された端末間で送受信される電子データを中継する中継方法であって、電子データと送信先情報および受信ユーザ名を受信するステップと、受信ユーザ名に対応する固有ＩＤを検索するステップと、送信先情報に関連付けられた固有ＩＤを検索するステップと、受信ユーザ名に対応する固有ＩＤを送信先情報に関連付けられた固有ＩＤと比較し、一致する固有ＩＤが存在するか否かを判定するステップと、判定するステップにおいて、一致する固有ＩＤが存在すると判定した場合に、送信先情報の示す端末に対して受信ユーザ名宛の電子データを受信したことを通知するステップと、端末から固有ＩＤを受信し、その固有ＩＤが受信ユーザ名に対応する固有ＩＤと同一であるか認証するステップと、端末から電子データの受信許可を得るステップと、認証が成功し、受信許可が得られた場合に、電子データを端末へ送信するステップと、を有することを特徴とする。
【００２２】
上記中継方法において、受信するステップでは、送信ユーザの固有ＩＤをさらに受信し、通知するステップでは、送信ユーザの固有ＩＤに対応する送信ユーザ名を端末に通知することを特徴とする。
【００２３】
上記中継方法において、固有ＩＤは、端末に登録されている端末ＩＤ、または、端末から送信可能なユニークなＩＤを用いて生成されることを特徴とする。
【００２４】
第３の本発明に係る中継プログラムは、公衆電話網に接続された端末間で送受信される電子データを中継する中継プログラムであって、電子データと送信先情報および受信ユーザ名を受信する処理と、受信ユーザ名に対応する固有ＩＤを検索する処理と、送信先情報に関連付けられた固有ＩＤを検索する処理と、受信ユーザ名に対応する固有ＩＤを送信先情報に関連付けられた固有ＩＤと比較し、一致する固有ＩＤが存在するか否かを判定する処理と、判定するステップにおいて、一致する固有ＩＤが存在すると判定した場合に、送信先情報の示す端末に対して受信ユーザ名宛の電子データを受信したことを通知する処理と、端末から固有ＩＤを受信し、その固有ＩＤが受信ユーザ名に対応する固有ＩＤと同一であるか認証する処理と、端末から電子データの受信許可を得る処理と、認証が成功し、受信許可が得られた場合に、電子データを端末へ送信する処理と、をコンピュータに実行させることを特徴とする。
【００２５】
上記中継プログラムにおいて、受信する処理では、送信ユーザの固有ＩＤをさらに受信し、通知する処理では、送信ユーザの固有ＩＤに対応する送信ユーザ名を端末に通知することを特徴とする。
【００２６】
上記中継プログラムにおいて、固有ＩＤは、端末に登録されている端末ＩＤ、または、端末から送信可能なユニークなＩＤを用いて生成されることを特徴とする。
【００２７】
第４の本発明に係る記録媒体は、上記中継プログラムを記録したコンピュータ読み取り可能な記録媒体である。
【発明の効果】
【００２８】
本発明によれば、電子データの誤送信を防止しつつ、その電子データの閲覧を送信先のユーザに限定するとともに、受信先のユーザが電子データの受信の許可、拒否を選択できる電子データ中継システムを提供するができる。
【発明を実施するための最良の形態】
【００２９】
以下、本発明の実施の形態について図面を用いて説明する。
【００３０】
［第１の実施の形態］
図１は、第１の実施の形態における電子データ中継システムの構成を示す全体構成図である。同図には、それぞれが公衆電話網に接続された中継装置１００、送信端末２００および受信端末３００が示されている。同図に示す電子データ中継システムは、送信端末２００が送信する電子データを中継装置１００が中継するものであり、中継装置１００は、電子データの送信先が正しく、受信端末３００から受信許可があったときに、その電子データを受信端末３００へ送信する。
【００３１】
図２は、中継装置１００の構成を示すブロック図である。中継装置１００は、電話番号、ユーザ名および固有ＩＤを記憶させた記憶部１１０、中継する電子データを一時的に格納する電子データ格納部１２０、電話番号から固有ＩＤを検索する電話番号検索部１３０、ユーザ名から固有ＩＤを検索するユーザ名検索部１４０、電話番号検索部１３０およびユーザ名検索部１４０の検索結果を比較する比較処理部１５０および発信、着信および電子データの送受信を行う電話制御部１６０を備える。この中継装置１００を、演算処理装置、記憶装置、メモリ等を備えたコンピュータにより構成して、各部の処理をプログラムによって実行させるものとしてもよい。このプログラムは中継装置１００が備える記憶装置に記憶されており、磁気ディスク、光ディスク、半導体メモリ等の記録媒体に記録することも、ネットワークを通して提供することも可能である。
【００３２】
図３は、記憶部１１０に記憶される電話番号、ユーザ名および固有ＩＤの例を示す説明図である。記憶部１１０には、ユーザ名と固有ＩＤとを１対１で対応させて格納される。複数のユーザが同一の電話番号を利用することがあるので、記憶部１１０には、１つの電話番号に対して１つ以上の固有ＩＤが関連付けて格納される。よって、ユーザ名検索部１４０がユーザ名を用いて固有ＩＤを検索した場合、検索される固有ＩＤは１つである。一方、電話番号検索部１３０が電話番号を用いて固有ＩＤを検索した場合、検索される固有ＩＤは１つ以上となる。
【００３３】
比較処理部１５０は、ユーザ名検索部１４０が検索した固有ＩＤと電話番号検索部１３０が検索した固有ＩＤのそれぞれとを比較し、ユーザ名検索部１４０が検索した固有ＩＤが電話番号検索部１３０が検索した固有ＩＤに含まれるか否か判断する。
【００３４】
図４は、送信端末２００の構成を示すブロック図である。同図に示す送信端末２００は、送信する電子データの選択や送信先のユーザ名、電話番号あるいは固有ＩＤの入力を行う操作ユーザインタフェース２１０、入力する情報やステータスを表示するディスプレイ２２０、呼制御や情報の送受信を行う電話制御部２３０、電話情報を格納する電話情報格納部２４０および電子データを蓄積するデータ蓄積部２５０を備える。本実施の形態では、送信端末２００としてキーボード、マウスなどの入力手段を備えたパーソナルコンピュータを利用したが、例えば、電話機および携帯電話機なども用いることができる。
【００３５】
図５は、受信端末３００の構成を示すブロック図である。同図に示す受信端末３００は、固有ＩＤの入力や許可、拒否の選択を行う操作ユーザインタフェース３１０、受信した電子データなどを表示するディスプレイ３２０、呼制御や情報の送受信を行う電話制御部３３０および電話情報を格納する電話情報格納部３４０を備える。本実施の形態では、受信端末３００として表示装置を備えた電話機を利用したが、例えば、パーソナルコンピュータや携帯電話機なども用いることができる。
【００３６】
次に、本実施の形態における電子データ中継システムの動作について説明する。図６は、本実施の形態における電子データ中継システムの動作を示すシーケンス図である。
【００３７】
まず、送信者が送信端末２００のディスプレイ２２０と操作ユーザインタフェース２１０を用いて、データ蓄積部２５０に蓄積された電子データを選択し、送信先の電話番号、送信先のユーザ名を入力する（ステップ１０１）。図７に、このときの送信端末２００のディスプレイ２２０の表示例を示す。
【００３８】
入力された送信先の電話番号は電話制御部２３０に送信され、電話制御部２３０は、電話情報格納部２４０に登録されている電話情報を参照し、送信元の電話番号を得る。そして、電話制御部２３０は、中継装置１００へ発信し、送信先の電話番号、送信先のユーザ名、電子データおよび送信元の電話番号を送信する（ステップ１０２）。
【００３９】
中継装置１００は、公衆電話網を介して、送信先の電話番号、送信先のユーザ名、電子データおよび送信元の電話番号を受信し、電子データを電子データ格納部１２０に格納する。送信先の電話番号および送信先のユーザ名のそれぞれを用いて検索される固有ＩＤを比較処理部１５０により比較して送信先の電話番号が正しいか否か判断する（ステップ１０３）。中継装置１００における、送信先の電話番号が正しいか否か判断する処理の詳細については後述する。
【００４０】
送信先の電話番号が正しい場合、中継装置１００は、電話制御部１６０により受信端末３００へ発信し、送信先のユーザ名を送信する（ステップ１０４）。これにより、受信端末３００は、送信先のユーザに対する電子データが存在することが分かる。
【００４１】
送信先のユーザ名を受信した受信端末３００は、ディスプレイ３２０に送信先のユーザ名と、そのユーザ名に対応する固有ＩＤの入力を促す画面を表示する（ステップ１０５）。図８に、このときの受信端末３００のディスプレイ３２０の表示例を示す。
【００４２】
受信者（送信先のユーザ）は、受信端末３００の操作ユーザインタフェース３１０を用いて自分の固有ＩＤを入力する（ステップ１０６）。
【００４３】
入力された固有ＩＤは電話制御部３３０により中継装置１００へ送信される（ステップ１０７）。
【００４４】
中継装置１００は、公衆電話網を介して固有ＩＤを受信し、比較処理部１５０において受信した固有ＩＤと送信先のユーザ名に対応する固有ＩＤとを比較する（ステップ１０８）。固有ＩＤを比較することで受信者を認証する。
【００４５】
比較処理部１５０が、受信した固有ＩＤと送信先のユーザ名に対応する固有ＩＤは一致すると判断した場合、送信元の電話番号を受信端末３００へ送信する（ステップ１０９）。このとき、送信元の電話番号に加えて送信元のユーザ名を送信してもよいし、送信元のユーザ名を送信するものでもよい。
【００４６】
送信元の電話番号を受信した受信端末３００は、ディスプレイ３２０に受信した電話番号を表示し、送信された電子データの表示の許可あるいは拒否の選択を促す（ステップ１１０）。図９に、このときの受信端末３００のディスプレイ３２０の表示例を示す。
【００４７】
受信者は、受信端末３００の操作ユーザインタフェース３１０を用いて電子データの表示の許可あるいは拒否の選択をする（ステップ１１１）。
【００４８】
受信者が許可を選択した場合、受信端末３００は、電話制御部３３０により中継装置１００へ電子データ受信許可の旨を通知する（ステップ１１２）。
【００４９】
中継装置１００は、公衆電話網を介して受信許可の旨を受信したら、電子データ格納部１２０から送信すべき電子データを読み出し、電話制御部１６０により受信端末３００へ送信する（ステップ１１３）。また、送信端末２００に対して、電子データの受信が許可されたことを通知する（ステップ１１４）。
【００５０】
受信端末３００は、中継装置１００から受信した電子データをディスプレイ３２０に表示する（ステップ１１５）。図１０に、受信端末３００のディスプレイ３２０に電子データが表示された例を示す。本実施の形態では、電子データとして地図などの静止画データを送信する例を示したが、もちろん、テキストや音声あるいは動画などでもよい。
【００５１】
一方、送信端末２００は、受信者が電子データの受信を許可した旨の通知を中継装置１００から受信したら、その旨を送信端末２００のディスプレイ２２０に表示する（ステップ１１６）。図１１に、このときの送信端末２００のディスプレイ２２０の表示例を示す。
【００５２】
このように、中継装置１００を介することにより、誤送信を防止しつつ、受信するユーザを指定して電子データを送信することができる。特に、送信先の保証と受信ユーザ指定の要請の強い電子データの送受信サービスに適する。
【００５３】
なお、ステップ１０３において、比較処理部１５０が送信先の電話番号が誤っていると判断した場合、中継装置１００は、送信端末２００に対してエラーを送信する。エラーを受信した送信端末２００は、ディスプレイ２２０に電話番号あるいは送信先のユーザ名が正しくない旨を表示する。
【００５４】
ステップ１０９において、比較処理部１５０が受信した固有ＩＤと送信先ユーザ名に対応する固有ＩＤが一致しないと判断した場合、中継装置１００は、受信端末３００に対してエラーを送信する。エラーを受信した受信端末３００は、ディスプレイ３２０に固有ＩＤが正しくない旨を表示する。
【００５５】
ステップ１１２において、受信者が拒否を選択した場合、受信端末３００は、電話制御部３３０により中継装置１００へ電子データ受信拒否の旨を送信する。中継装置１００は、電子データの受信が拒否されたことを送信端末２００へ通知し、送信端末２００は、ディスプレイ２２０に電子データの受信が拒否された旨を表示する。
【００５６】
なお、ステップ１０４において、送信先のユーザ名に加えて送信元のユーザ名も受信端末３００に送信することで、図１２に示すように、受信端末３００において、送信元のユーザ名を表示することが可能となる。
【００５７】
また、受信端末３００として携帯電話機を用いる場合、固有ＩＤの入力要求に対して携帯電話機に登録されている携帯電話ＩＤを用いて固有ＩＤを生成し、送信することで送信先のユーザの確認をするものでもよい。あるいは、ＩＣカードに格納されているユニークなＩＤをＩＣカードリーダから読み取って固有ＩＤを生成するものでもよい。例えば、携帯電話機に搭載された非接触ＩＣチップにユニークなＩＤを格納しておき、そのユニークなＩＤを用いて固有ＩＤを生成することなどが考えられる。
【００５８】
次に、中継装置１００が送信先の電話番号が正しいか否か判断する処理（図６のステップ１０３）について図１３に示すフローチャートを用いて説明する。
【００５９】
送信端末２００から送信先の電話番号、ユーザ名、電子データおよび送信元の電話番号を受信した電話制御部１６０は、送信先のユーザ名をユーザ名検索部１４０へ送信する（ステップ２０１）。また、送信先の電話番号を電話番号検索部１３０へ送信する（ステップ２０２）。
【００６０】
ユーザ名検索部１４０は、記憶部１１０を参照して送信先のユーザ名に対応する固有ＩＤを検索する（ステップ２０３）。一方、電話番号検索部１３０は、記憶部１１０を参照して送信先の電話番号に関連付けられた固有ＩＤを検索する（ステップ２０４）。電話番号には複数の固有ＩＤが関連付けられることがあるので、１つ以上の固有ＩＤが得られる。
【００６１】
ユーザ名検索部１４０あるいは電話番号検索部１３０において固有ＩＤが得られない場合は（ステップ２０５，２０６）、送信端末２００へエラーを送信する。
【００６２】
比較処理部１５０は、ユーザ名検索部１４０において検索された固有ＩＤと電話番号検索部１３０において検索された固有ＩＤとを比較し、一致する固有ＩＤが存在するか否かを判断する（ステップ２０７）。一致する固有ＩＤが存在する場合、送信先の電話番号、送信先のユーザ名は正しいので受信端末３００に対して、送信する電子データが存在することを通知する（図６のステップ１０４）。
【００６３】
このように、送信先のユーザ名に対応する固有ＩＤが送信先の電話番号に関連付けられた固有ＩＤに含まれるか否かを判断することにより、電子データの送信先の電話番号が正しいことが保証される。
【００６４】
したがって、本実施の形態によれば、電子データを送信する際に、中継装置１００が送信先のユーザ名に対応する固有ＩＤと送信先の電話番号に関連付けられた固有ＩＤとを比較し、一致する固有ＩＤがあるか否かを検索することにより、電子データの誤送信を防止することが可能となる。
【００６５】
本実施の形態によれば、受信端末３００から電子データの受信許可を受信することにより、受信者は、電子データの送信毎に受信許可、拒否を選択することが可能となる。
【００６６】
本実施の形態によれば、中継装置１００が受信端末３００から送信先のユーザ名に対応する固有ＩＤを受信して送信先のユーザを認証することにより、他のユーザに電子データを閲覧されることが無くなる。
【００６７】
本実施の形態によれば、携帯電話ＩＤを用いて固有ＩＤを生成することにより、ユーザは固有ＩＤを入力する必要がなくなる。
【００６８】
［第２の実施の形態］
第２の実施の形態における電子データ中継システムは、第１の実施の形態における電子データ中継システムと基本的な構成は同様である。以下、第１の実施の形態と異なる点について説明する。
【００６９】
第２の実施の形態では、送信者が電子データを送信する際に（図６のステップ１０１）、送信者の固有ＩＤを入力させる点で第１の実施の形態と異なっている。
【００７０】
送信者の固有ＩＤを受信した中継装置１００は、その固有ＩＤから送信者のユーザ名を検索し、送信先のユーザ名と共に送信者のユーザ名を送信する（図６のステップ１０４）。これにより送信者が正しいことを保証し、送信元の電話番号を複数のユーザが共有していた場合でも、送信者を特定することができる。第２の実施の形態は、ファイルの送信元の身元を保障する要請の強いサービスに適用可能なシステムである。
【００７１】
したがって、本実施の形態によれば、送信端末２００が電子データを送信する際に送信者の固有ＩＤを送信することにより、中継装置１００は、送信者が正しいことを保証することが可能となる。
【図面の簡単な説明】
【００７２】
【図１】一実施の形態における電子データ中継システムの構成を示す全体構成図である。
【図２】上記電子データ中継システムの中継装置の構成を示すブロック図である。
【図３】上記中継装置の記憶部に記憶される電話番号、ユーザ名および固有ＩＤの例を示す説明図である。
【図４】上記電子データ中継システムの送信端末の構成を示すブロック図である。
【図５】上記電子データ中継システムの受信端末の構成を示すブロック図である。
【図６】上記電子データ中継システムの動作を示すシーケンス図である。
【図７】送信端末が送信先の電話番号、ユーザ名を入力するときの表示例を示す図である。
【図８】受信端末において固有ＩＤの入力を促す表示例を示す図である。
【図９】受信端末において電子データの表示の許可、拒否の選択を促す表示例を示す図である。
【図１０】受信端末における電子データの表示例を示す図である。
【図１１】送信端末において受信端末が電子データの受信を許可した旨を知らせる表示例を示す図である。
【図１２】受信端末において固有ＩＤの入力を促す際に、送信元のユーザ名を表示した例を示す図である。
【図１３】中継装置が送信先の電話番号が正しいか否かを判断する処理の流れを示すフローチャートである。
【符号の説明】
【００７３】
１００…中継装置
１１０…記憶部
１２０…電子データ格納部
１３０…電話番号検索部
１４０…ユーザ名検索部
１５０…比較処理部
１６０…電話制御部
２００…送信端末
２１０…操作ユーザインタフェース
２２０…ディスプレイ
２３０…電話制御部
２４０…電話情報格納部
２５０…データ蓄積部
３００…受信端末
３１０…操作ユーザインタフェース
３２０…ディスプレイ
３３０…電話制御部
３４０…電話情報格納部
【図１】
0004871915.tif 000002
【図２】
0004871915.tif 000003
【図３】
0004871915.tif 000004
【図４】
0004871915.tif 000005
【図５】
0004871915.tif 000006
【図６】
0004871915.tif 000007
【図７】
0004871915.tif 000008
【図８】
0004871915.tif 000009
【図９】
0004871915.tif 000010
【図１０】
0004871915.tif 000011
【図１１】
0004871915.tif 000012
【図１２】
0004871915.tif 000013
【図１３】
0004871915.tif 000014